(57)【要約】【課題】  微振動を受けたとしても引掛ローゼット等との係合状態が外れることを防止し、かつ、地震や突発的な衝突があった場合でも安全性を向上させる。【解決手段】  空気清浄機能付き照明器具１０を吊り下げる剛性のある吊下部材２２の径よりも大きい径を有する照明側開口部３３と、吊下部材２２の径よりも大きく照明側開口部３３の径より小さい径を有する吊下部材貫通孔を備える照明側開口部３３の径よりも大きい径を有する照明側開口カバー３４と、を備え、照明側開口カバー３４は、照明側開口部３３の上側であって、ローゼットカバー３０の内側に配置され、着脱可能に２分割される形態を有するローゼットカバー。【選択図】  図６
2014022104.tif 000002
【特許請求の範囲】
【請求項１】
空気清浄機能付き照明器具を天井面に設置された引掛ローゼット本体に取り付けた場合に、前記引掛ローゼット本体を覆うローゼットカバーであって、
前記引掛ローゼット本体の径より大きい径を有し、天井面に接する天井側開口部と、
ローゼットカバーの内部に備えられ、前記引掛ローゼット本体に引き掛ける引掛ローゼットキャップを挟持する挟持部材に係合する２以上の係合爪と、
前記挟持部材と前記空気清浄機能付き照明器具とを連結し、前記空気清浄機能付き照明器具を吊り下げる吊下部材の径よりも大きい径を有する照明側開口部と、
前記吊下部材の径よりも大きく前記照明側開口部の径より小さい径を有する吊下部材貫通孔を備え、前記照明側開口部の径よりも大きい径を有する照明側開口カバーと、
を備え、
前記照明側開口カバーは、前記照明側開口部の上側であって、ローゼットカバーの内側に配置され、
前記天井側開口部および前記照明側開口部を分割するように、着脱可能に２分割される形態を有する、
ローゼットカバー。
【請求項２】
前記係合爪は、前記挟持部材の上面に係合することを特徴とする請求項１に記載のローゼットカバー。
【請求項３】
前記照明側開口カバーの周縁部は下に凸に湾曲していることを特徴とする請求項１または２に記載のローゼットカバー。
【請求項４】
前記係合爪の一の組は、ローゼットカバーの内部において、天井面から突出する一の引掛ローゼット本体の高さに対応した位置に備えられ、前記係合爪の他の組は、前記ローゼットカバーの内部において、天井面から突出する他の引掛ローゼット本体の高さに対応した位置に備えられることを特徴する請求項１乃至３のいずれかに記載のローゼットカバー。
【請求項５】
請求項１乃至４のいずれかに記載されたローゼットカバーと、
請求項１乃至４のいずれかに記載されたローゼットカバーに係合され、空気清浄機能付き照明器具を天井面に設置された引掛ローゼット本体に引き掛ける引掛ローゼットキャップを挟持する挟持部材と、
前記空気清浄機能付き照明器具を一端で吊り下げる剛性を有する吊下部材と、
前記挟持部材と前記吊下部材とを遥動自在に連結する継手部材と、
を備え、
前記吊下部材は、前記照明側開口カバーの前記吊下部材貫通孔を貫通し、他端で前記継手部材と連結する、
空気清浄機能付き照明器具用取付具。
【請求項６】
請求項５に記載された空気清浄機能付き照明器具用取付具により、天井面に取り付けられる空気清浄機能付き照明器具。
【発明の詳細な説明】
【技術分野】
【０００１】
空気清浄機能が付いた照明器具用のローゼットカバー、かかるローゼットカバーを有し空気清浄機能付き照明器具を天井に取り付ける取付具、および、かかるローゼットカバーおよび取付具を使用する空気清浄機能付き照明器具に関する。
【背景技術】
【０００２】
従来から、吊り下げ照明器具と電気的に接続すると共にその吊り下げ照明器具を吊り下げる、天井面に固定された引掛ローゼットや引掛シーリングを覆うためのローゼットカバーが知られている。かかるローゼットカバーは、照明器具を吊り下げるコードを収納し、引掛ローゼットや引掛シーリングとの取り付け部分の意匠性を高める。
【０００３】
かかるローゼットカバーは、引掛ローゼット等の天井面からの突出高さを吸収し、見栄え良く取り付けるために、さまざまな工夫がなされている。例えば、特許文献１には、底部にコード挿入孔を形成した有底筒状のカバー本体と、この本体内に形成した嵌合段部を具え、適度の弾力性および可撓性を有する複数個の突片とを具備した引掛け形接続器のカバーが開示されている。これにより、天井面からの突出高さが異なる２種類の引掛ローゼット等を覆い、カバー本体と引掛ローゼット等との摩擦力により取り付けることができる。
【０００４】
なお、ローゼットカバーのコード挿入孔においては、その孔の径は小さめにしておき、その孔とコードとの摩擦係合によって所定位置に保持する場合もある。ただ、照明器具を吊り下げる天井面が水平でない場合には、ローゼットカバーと天井面との間に隙間ができてしまい美観が損なわれる。
【０００５】
かかる問題に対処するため、例えば、特許文献２には、天井面に接する開口を上方に有し、下側外面に球面部を有し、この球面部に吊り下げコードの太さより大きい孔を形成したカバー主体と、この主体の孔よりも大寸法に形成されかつ上記球面部と摺動自在に接する重合面が上側に形成され、吊り下げコードに摺動し固定しうるコード貫通孔を有する外カバーとを備えたローゼットカバーが開示されている。
【先行技術文献】
【特許文献】
【０００６】
【特許文献１】実公昭５２−５０６０５
【特許文献２】実公昭５０−８５０８０
【発明の概要】
【発明が解決しようとする課題】
【０００７】
しかし、最近、食卓テーブルなどの上方の天井に取り付けられ、照明と空気清浄機が一体となった空気清浄機能付き照明が提供されるようになった。かかる空気清浄機能付き照明は、空気清浄機を稼働させるための電動機を備えるため、その稼働による微振動を発生する。この微振動は、空気清浄機能付き照明を天井から吊り下げる部材を伝わり、その結果ローゼットカバーにも伝わる。
【０００８】
上述の従来技術のように、摩擦力により、ローゼットカバーと引掛ローゼット等とが取り付けられていたり、また、コード挿入孔とコードとが係合していたりすると、ローゼットカバーに伝わった微振動により、取り付けや係合が緩んで外れてしまうことがある。また、ローゼットカバーと引掛ローゼット等とが互いに雄ねじと雌ねじを形成し、ねじ止めされている場合でもあっても、同様に徐々に緩んで外れてしまう。
【０００９】
さらに、かかる空気清浄機能付き照明は通常の照明に比べ重量が大きくなるので、吊り下げ部材に十分な強度を持たせるためおよび電動機の稼働時の回転力による照明自体の回転を防止するため、吊り下げ部材は、剛性のある部材（例えば、パイプ）で作製されている。そうすると、より微振動がローゼットカバーなどに伝わりやすくなり、外れやすくなる。
【００１０】
また、吊り下げ部材を剛性のある部材としたため、地震発生時には引掛ローゼットとローゼットキャップの接続部分やローゼットカバーに大きな力が加わったり、人が照明部分に衝突した場合同様に大きな力が加わると共に、人が怪我をする恐れもあり、安全性に対して不安であった。
【００１１】
そこで、本発明は、上記問題に鑑みてなされたものであり、本発明の目的とするところは、美観を配慮した上で、たとえ長期間に亘り微振動を受けたとしても引掛ローゼット等との係合状態が外れることを防止し、かつ、地震や突発的な衝突があった場合でも安全性を向上させた、空気清浄機能付き照明を引掛ローゼット等に取り付けるためのローゼットカバー、空気清浄機能付き照明器具用取り付け具、および、空気清浄機能付き照明器具を提供することである。
【課題を解決するための手段】
【００１２】
上記課題を解決するために、空気清浄機能付き照明器具を天井面に設置された引掛ローゼット本体に取り付けた場合に、引掛ローゼット本体を覆うローゼットカバーであって、引掛ローゼット本体の径より大きい径を有し、天井面に接する天井側開口部と、ローゼットカバーの内部に備えられ、引掛ローゼット本体に引き掛ける引掛ローゼットキャップを挟持する挟持部材に係合する２以上の係合爪と、挟持部材と空気清浄機能付き照明器具とを連結し、空気清浄機能付き照明器具を吊り下げる吊下部材の径よりも大きい径を有する照明側開口部と、吊下部材の径よりも大きく照明側開口部の径より小さい径を有する吊下部材貫通孔を備え、照明側開口部の径よりも大きい径を有する照明側開口カバーと、を備え、照明側開口カバーは、照明側開口部の上側であって、ローゼットカバーの内側に配置され、天井側開口部および照明側開口部を分割するように、着脱可能に２分割される形態を有する、ローゼットカバーが提供される。
これによれば、美観に配慮した上で、長期間に亘り微振動を受けたとしても引掛ローゼット等との係合状態が外れることを防止し、かつ、地震や突発的な衝突があった場合でも安全性を向上させた、空気清浄機能付き照明を引掛ローゼット等に取り付けるためのローゼットカバーを提供できる。
【００１３】
さらに、係合爪は、挟持部材の上面に係合することを特徴としてもよい。
これによれば、簡易な構造で、長期間に亘り微振動を受けたとしても引掛ローゼット等との係合状態が外れることを防止することができる。
【００１４】
さらに、照明側開口カバーの周縁部は下に凸に湾曲していることを特徴としてもよい。
これによれば、照明側開口カバーが、ローゼットカバー内を滑らかに摺動することができる。
【００１５】
さらに、係合爪の一の組は、ローゼットカバーの内部において、天井面から突出する一の引掛ローゼット本体の高さに対応した位置に備えられ、係合爪の他の組は、ローゼットカバーの内部において、天井面から突出する他の引掛ローゼット本体の高さに対応した位置に備えられることを特徴としてもよい。
これによれば、異なる高さを有する引掛ローゼット本体を２つまで、一つのローゼットカバーで対応することができる。
【００１６】
また、上記課題を解決するために、上記ローゼットカバーと、上記ローゼットカバーに係合され、空気清浄機能付き照明器具を天井面に設置された引掛ローゼット本体に引き掛ける引掛ローゼットキャップを挟持する挟持部材と、空気清浄機能付き照明器具を一端で吊り下げる剛性を有する吊下部材と、挟持部材と吊下部材とを遥動自在に連結する継手部材と、を備え、吊下部材は、照明側開口カバーの吊下部材貫通孔を貫通し、他端で継手部材と連結する、空気清浄機能付き照明器具用取付具が提供される。
これによれば、長期間に亘り微振動を受けたとしても引掛ローゼット等との係合状態が外れることを防止し、かつ、地震や突発的な衝突があった場合でも安全性を向上させた空気清浄機能付き照明器具用取り付け具を提供できる。
【００１７】
また、上記課題を解決するために、上記空気清浄機能付き照明器具用取付具により、天井面に取り付けられる空気清浄機能付き照明器具が提供される。
これによれば、長期間に亘り微振動を受けたとしても引掛ローゼット等との係合状態が外れることを防止し、かつ、地震や突発的な衝突があった場合でも安全性を向上させた空気清浄機能付き照明器具を提供できる。
【発明の効果】
【００１８】
以上説明したように、本発明によれば、美観を配慮した上で、たとえ長期間に亘り微振動を受けたとしても引掛ローゼット等との係合状態が外れることを防止し、かつ、地震や突発的な衝突があった場合でも安全性を向上させた、空気清浄機能付き照明を引掛ローゼット等に取り付けるためのローゼットカバー、空気清浄機能付き照明器具用取り付け具、および、空気清浄機能付き照明器具を提供することである。
【図面の簡単な説明】
【００１９】
【図１】本発明に係る第一実施例における空気清浄機能付き照明器具等の正面図を示す。
【図２】本発明に係る第一実施例におけるローゼットカバーの正六面図等を示す。（Ａ）正面図、（Ｂ）平面図、（Ｃ）底面図、（Ｄ）左側面図、（Ｅ）右側面図、（Ｆ）上左斜視図、（Ｇ）上右斜視図、（Ｈ）下左斜視図、（Ｉ）下右斜視図。
【図３】本発明に係る第一実施例におけるローゼットカバーを分割した半体の正六面図等を示す。（Ａ）正面図、（Ｂ）平面図、（Ｃ）底面図、（Ｄ）左側面図、（Ｅ）右側面図、（Ｆ）上左斜視図、（Ｇ）上右斜視図、（Ｈ）下左斜視図、（Ｉ）下右斜視図。
【図４】本発明に係る第一実施例におけるローゼットカバーと空気清浄機能付き照明器具用取付具の断面図（一部）を示す。（図７（Ａ）におけるＳ２−Ｓ２断面）
【図５】本発明に係る第一実施例におけるローゼットカバーと空気清浄機能付き照明器具用取付具の断面図（一部）を示す。（図１におけるＳ１−Ｓ１断面）
【図６】本発明に係る第一実施例における空気清浄機能付き照明器具の断面図を示す。（図１におけるＳ１−Ｓ１断面）
【図７】本発明に係る第一実施例における空気清浄機能付き照明器具等の正面図（Ａ）、断面図（Ｂ）を示す。（（Ａ）におけるＳ２−Ｓ２断面）
【図８】本発明に係る第一実施例の変形例における空気清浄機能付き照明器具の下からの斜視図（Ａ）と、ローゼットカバーの拡大図（Ｂ）を示す。
【発明を実施するための形態】
【００２０】
以下では、図面を参照しながら、本発明に係る各実施例について説明する。
＜第一実施例＞
図１は、本実施例おける空気清浄機能付き照明器具１０を示す。空気清浄機能付き照明器具１０は、天井面Ｃに、ローゼットカバー３０により覆われた引掛ローゼット本体と引掛ローゼットキャップ（図示せず）を経由して取り付けられる。空気清浄機能付き照明器具１０は、引掛ローゼットキャップと接続された空気清浄機能付き照明器具用取付具２０の一部である吊下部材２２を介して吊り下げられる。
【００２１】
空気清浄機能付き照明器具１０の傘１１は、図示された形態に限定されず、いかなる形態であってもよい。また、排気口１２は、傘１１の上方に設けられ、傘１１の下方から吸引した空気を清浄化後排気する。この排気口１２も、図示された形態に限定されず、いかなる形態であってもよい。空気清浄機能付き照明器具１０の詳細は後述する。
【００２２】
図２は、本実施例におけるローゼットカバー３０の正六面図等を示す。ローゼットカバー３０は、空気清浄機能付き照明器具１０を天井面Ｃに設置された引掛ローゼット本体（図示せず）に取り付けた場合に、引掛ローゼット本体を覆うためのカバーである。
【００２３】
ローゼットカバー３０は、天井面Ｃに接する天井側開口部３１を有する。その天井側開口部３１は、引掛ローゼット本体を覆うため、引掛ローゼット本体の、天井面にほぼ平行な方向における径より大きい径を有する。天井側開口部３１は、通常平面である天井面に接するため正面視や側面視で一直線をなすが、これに限定されず、天井面の凹凸、曲面などの形態に適合させて様々な形態をとることができる。
【００２４】
また、天井側開口部３１は、平面視で円形をなすが、これに限定されず、例えば多角形などのいかなる形態であってもよい。また、ローゼットカバー３０の側面の天井側開口部３１における天井面の当接角はほぼ直角であるが、これに限定されず、天井面に接する限り、どのような角度で当接してもよい。
【００２５】
ローゼットカバー３０は、底部に、天井側開口部３１と対向するように、照明側開口部３３を有する。照明側開口部３３は、側面視や正面視で天井側開口部３１と平行をなすように設けられているが、これに限定されず、平行でなくともよい。また、照明側開口部３３は、底面視で円形をなすが、これに限定されず、例えば多角形などのいかなる形態であってもよい。照明側開口部３３は、図１に示した空気清浄機能付き照明器具１０を吊り下げる吊下部材２２の径よりも大きい径を有する。照明側開口部３３の径は、中を貫通する吊下部材２２の、照明側開口部３３付近における想定揺れ幅以上の径を有することが好ましい。これにより、空気清浄機能付き照明器具１０が地震や何らかの事情で揺れて、吊下部材２２もそれにつられて揺れたとしても、吊下部材２２がローゼットカバー３０（の照明側開口部３３）に衝突することが防止できる。
【００２６】
天井側開口部３１と照明側開口部３３は、半体結合部３０３において着脱可能に２分割されるローゼットカバー３０の本体（ローゼットカバー半体Ａ３０１とローゼットカバー半体Ｂ３０２が結合されたもの）により形成される。逆に言えば、ローゼットカバー半体Ａ３０１とローゼットカバー半体Ｂ３０２は、半体結合部３０３において、結合されまたは分離される。天井側開口部３１の周囲を形成するローゼットカバー３０の上端部は、半体結合部３０３により分割され、かつ、照明側開口部３３の周囲を形成するローゼットカバー３０の下端部は、半体結合部３０３により分割される。即ち、ローゼットカバー３０は、天井側開口部３１および照明側開口部３３を分割するように、２分割される形態を有する。
【００２７】
ローゼットカバー３０の外形は、ローゼットカバー３０の天井面からの高さの約半分程度の高さまでは、天井面Ｃから垂直に下方へ向かって形成され、円筒状をなす。ローゼットカバー３０の高さの約半分程度の高さより下の部分は、緩やかな曲率を以って窄まり、ローゼットカバー３０の外形のなす角度がほぼ水平に近くなった辺りで、天井側開口部３１より小さい径を有する照明側開口部３３を形成する。なお、ローゼットカバー３０の天井面Ｃからの高さ（天井面Ｃから照明側開口部３３までの距離）は、引掛ローゼット本体、引掛ローゼットキャップ、および、挟持部材や継手部材などを収容できる高さで適宜定められる。
【００２８】
ローゼットカバー３０は、内部に２以上の係合爪３２／３２’を備える。係合爪３２／３２’は、引掛ローゼット本体に引き掛ける引掛ローゼットキャップを挟持する挟持部材に係合する。
【００２９】
図３は、本実施例におけるローゼットカバー３０の半体Ｂ３０２の正六面図等を示す。図２と重複説明を省略し、主に係合爪３２／３２’と結合片３５／被結合片３６について説明する。係合爪３２／３２’は、空気清浄機能付き照明器具用取付具２０の一部である、挟持部材２１に係合する。係合の仕方は、挟持部材２１が凹部を有し、その凹部に係合爪３２／３２’が係合してもよいし、好ましくは、挟持部材２１の上面に係合してもよい。これによれば、簡易な構造で、長期間に亘り微振動を受けたとしても引掛ローゼット等との係合状態が外れることを防止することができる。
【００３０】
係合爪３２は半体Ｂ３０２に２か所、また、係合爪３２’も半体Ｂ３０２に２か所に、正面視および平面視で左右対称に設けられる。図示しないローゼットカバー３０の半体Ａ３０１には、平面視で円形である天井側開口部３１および照明側開口部３３の中心を中心とした点対象の位置に、係合爪３２／３２’が設けられる。そうすると、ローゼットカバー３０には、係合爪３２は合計４か所、係合爪３２’も合計４か所設けられ、それぞれ４つで１組の係合部を形成する。
【００３１】
１組の係合爪３２のローゼットカバー３０の上端部（天井面Ｃ）からの高さは、１組の係合爪３２’の同高さに比べ、高い高さを有する引掛ローゼット本体に適合するため、高い。逆に言えば、１組の係合爪３２’のローゼットカバー３０の上端部（天井面Ｃ）からの高さは、１組の係合爪３２の同高さに比べ、低い高さを有する引掛ローゼット本体に適合するため、低い。
【００３２】
即ち、係合爪の一の組（係合爪３２の組）は、ローゼットカバー３０の内部において、天井面Ｃから突出する一の引掛ローゼット本体の高さに対応した位置に備えられ、係合爪の他の組（係合爪３２’の組）は、ローゼットカバーの内部において、天井面Ｃから突出する他の引掛ローゼット本体の高さに対応した位置に備えられる。これによれば、異なる高さを有する引掛ローゼット本体を２つまで、一つのローゼットカバーで対応することができる。
【００３３】
これらの２組の係合爪３２／３２’は、平面視で円形である天井側開口部３１および照明側開口部３３の中心を中心として９０度回転させた位置にある。したがって、係合爪３２を挟持部材に係合させる際には、引掛ローゼットキャップの被吊下げ用突出部のある方向から、半体Ａ３０１と半体Ｂ３０２の両方を結合させる。一方、係合爪３２’を挟持部材に係合させる際には、引掛ローゼットキャップの被吊下げ用突出部のない方向から、半体Ａ３０１と半体Ｂ３０２の両方を結合させる。
【００３４】
また、半体Ｂ３０２は、結合片３５および被結合片３６を、天井側開口部３１および照明側開口部３３近傍にそれぞれ備える。図示しない半体Ａ３０１には、平面視で半体Ｂ３０２の天井側開口部３１および照明側開口部３３の中心を中心とした点対象の位置に、結合片３５および被結合片３６が設けられる。そして、半体Ｂ３０２に備えられる結合片３５と半体Ａ３０１に備えられる被結合片３６とが、および、半体Ｂ３０２に備えられる被結合片３６と半体Ａ３０１に備えられる結合片３５とが、着脱自在に結合、分離する。したがって、ローゼットカバー３０は、着脱可能に２分割される形態を有する。
【００３５】
図４は、本実施例におけるローゼットカバー３０と空気清浄機能付き照明器具用取付具の断面図２０（一部）を示す（図７（Ａ）におけるＳ２−Ｓ２断面）。ローゼットカバー３０は、照明側開口部３３の上側であって、ローゼットカバー３０の内側に配置される照明側開口カバー３４を有する。照明側開口カバー３４の外形は、照明側開口部３３の径よりも大きい径を有する。したがって、照明側開口カバー３４は、ローゼットカバー３０の内側であって照明側開口部３３の上側に配置されても、下方に落ちることはない。
【００３６】
また、照明側開口カバー３４は、吊下部材２２の径よりも大きく照明側開口部３３の径より小さい径を有する吊下部材貫通孔３４１を備える。これにより、吊下部材２２は、吊下部材貫通孔３４１を貫通することができる。また、これにより、空気清浄機能付き照明器具１０が地震や何らかの事情で揺れて、吊下部材２２もそれにつられて揺れたとしても、吊下部材２２が直接ローゼットカバー３０（の照明側開口部３３）に衝突することが防止できる。
【００３７】
なお、挟持部材２１は、吊下げ用突出片２１１を有し、引掛ローゼットキャップが正面視で左右に一対有する被吊下げ用突出部ＲＣ１の上面に、その吊下げ用突出片を引っ掛けた状態で挟持する。
【００３８】
以上の構成から、ローゼットカバー３０は、空気清浄機能付き照明器具１０を天井面Ｃに設置された引掛ローゼット本体ＲＢに取り付けた場合に、引掛ローゼット本体ＲＢを覆うローゼットカバーであって、引掛ローゼット本体ＲＢの径より大きい径を有し、天井面Ｃに接する天井側開口部３１と、ローゼットカバーの内部に備えられ、引掛ローゼット本体ＲＢに引き掛ける引掛ローゼットキャップＲＣを挟持する挟持部材２１に係合する２以上の係合爪３２／３２’と、挟持部材２１と空気清浄機能付き照明器具１０とを連結し、空気清浄機能付き照明器具１０を吊り下げる吊下部材２２の径よりも大きい径を有する照明側開口部３３と、吊下部材２２の径よりも大きく照明側開口部３３の径より小さい径を有する吊下部材貫通孔３４１を備え、照明側開口部３３の径よりも大きい径を有する照明側開口カバー３４と、を備え、照明側開口カバー３４は、照明側開口部３３の上側であって、ローゼットカバーの内側に配置され、天井側開口部３１および照明側開口部３３を分割するように、着脱可能に２分割される形態を有する、ローゼットカバーである。
【００３９】
これによれば、美観に配慮した上で、長期間に亘り微振動を受けたとしても引掛ローゼット等との係合状態が外れることを防止し、かつ、地震や突発的な衝突があった場合でも安全性を向上させた、空気清浄機能付き照明器具を引掛ローゼット等に取り付けるためのローゼットカバーを提供できる。
【００４０】
また、照明側開口カバー３４の周縁部３４２は下に凸に湾曲している。これによれば、照明側開口カバー３４が、ローゼットカバー３０内を滑らかに摺動することができる。なお、周縁部３４２の湾曲の曲率は、ローゼットカバー３０の照明側開口部３３付近の曲率より小さいことが好ましい。これによれば、照明側開口カバー３４の端部がローゼットカバー３０の曲率を有する内壁に接することがないので、より滑らかに摺動することができる。また、照明側開口カバー３４は、照明側開口部３３付近に結合片３５や被結合片３６があっても、それが邪魔になることなく摺動することができる。
【００４１】
なお、本実施例では、ローゼットカバー３０の高さの約半分程度の高さより下の部分は、緩やかな曲率を以って窄まるが、これに限定されず、ローゼットカバーの側面に曲率がなくてもよい。この場合、空気清浄機能付き照明が大きく揺動しても、照明側開口部の内壁と吊下部材貫通孔の内壁とが略垂直に並ぶ前に、即ち、照明側開口部の内壁に吊下部材の側面が衝突する前に、照明側開口カバーの端部は、ローゼットカバーの内壁に衝突することがない形態とする。これによれば、地震や突発的な衝突があった場合でも、吊下部材の振れ幅の余裕が十分にあり、安全性をより向上させることができる。
【００４２】
図５は、本実施例におけるローゼットカバー３０と空気清浄機能付き照明器具用取付具２０の断面図（一部）を示す。なお、断面の位置は、図１におけるＳ１−Ｓ１断面である。
【００４３】
図４は、ローゼットカバー３０を低い高さを有する引掛ローゼット本体ＲＢに適合させて取り付けた場合を示し、図５は、ローゼットカバー３０を高い高さを有する引掛ローゼット本体ＲＢに適合させて取り付けた場合を示す。ローゼットカバー３０を低い高さを有する引掛ローゼット本体ＲＢに適合させて取り付けた場合は、係合爪３２’が挟持部材２１の上面に係合し、ローゼットカバー３０を高い高さを有する引掛ローゼット本体ＲＢに適合させて取り付けた場合は、係合爪３２が挟持部材２１の上面に係合する。これによれば、異なる高さを有する引掛ローゼット本体を２つまで、一つのローゼットカバーで対応することができる。
【００４４】
空気清浄機能付き照明器具用取付具２０は、図４および図５にその大部分を示すように、上記のローゼットカバー３０と、そのローゼットカバー３０に係合され、空気清浄機能付き照明器具１０を天井面に設置された引掛ローゼット本体ＲＢに引き掛ける引掛ローゼットキャップＲＣを挟持する挟持部材２１と、空気清浄機能付き照明器具１０を一端で吊り下げる剛性を有する吊下部材２２と、挟持部材２１と吊下部材２２とを遥動自在に連結する継手部材２３と、を備え、吊下部材２２は、照明側開口カバー３４の吊下部材貫通孔３４１を貫通し、他端で継手部材２３と連結する。これによれば、長期間に亘り微振動を受けたとしても引掛ローゼット等との係合状態が外れることを防止し、かつ、地震や突発的な衝突があった場合でも安全性を向上させた空気清浄機能付き照明器具用取り付け具を提供できる。
【００４５】
本実施例における空気清浄機能付き照明器具用取付具２０は、さらに、挟持部材２１の左右の吊下げ用突出片２１１を下側から連結して補強する固定部材２４を備える。これにより、空気清浄機能付き照明器具用取付具２０は、より強固に引掛ローゼットキャップＲＣに取り付けられる。
【００４６】
挟持部材２１は、空気清浄機能付き照明器具１０を下方に吊り下げるため、引掛ローゼットキャップＲＣを両側から強固に挟持する。挟持部材２１は、下に凸に湾曲した形状をなすが、これに限定されない。継手部材２３は、挟持部材２１と吊下部材２２とを遥動自在に連結する。具体的には、挟持部材２１は中央下側の位置に下向きに突出した半球面部２１２を備え、半球面部２１２は下側中央部に貫通孔を備える。そして、半球面部２１２とほぼ等しい半径を有する半球体２３１を吊下部材２２の上端部に備えることで、半球面部２１２と半球体部２３１とが摺動可能になり、挟持部材２１と吊下部材２２とが揺動自在に連結されることとなる。
【００４７】
吊下部材２２は、挟持部材２１と空気清浄機能付き照明器具１０とを連結し、空気清浄機能付き照明器具１０を吊り下げる。吊下部材２１は、少なくとも、底面視や平面視で、吊下部材２１の中心軸を中心に回転しない程度に剛性を有すればよい。軽量となるため、パイプ構造を有することが好ましい。これにより、下方に吊り下げる空気清浄機能付き照明器具１０内の電動機や送風機の回転運動の反動により、空気清浄機能付き照明器具１０自体が回転することが防止できる。
【００４８】
図６および図７は、上記空気清浄機能付き照明器具用取付具２０により、天井面Ｃに取り付けられる空気清浄機能付き照明器具１０を示す。これによれば、長期間に亘り微振動を受けたとしても引掛ローゼット等との係合状態が外れることを防止し、かつ、地震や突発的な衝突があった場合でも安全性を向上させた空気清浄機能付き照明器具を提供できる。なお、図６は、図１におけるＳ１−Ｓ１断面における空気清浄機能付き照明器具１０の断面図を示す。また、図７は、空気清浄機能付き照明器具等の正面図（Ａ）、（Ａ）におけるＳ２−Ｓ２断面における断面図（Ｂ）を示す。
【００４９】
空気清浄機能付き照明器具１０は、内部に光源を収納する光源収納部１６を有する傘１１と、下方から空気と共に油煙などを吸入する送風機１４と、送風機１４を回転させるための動力源である電動機１５と、下から吸入した空気を排出する排気口１２と、吊下部材２２と連結するための連結部材１９と、下方から空気と共に吸入した油煙など清浄化するフィルタ群とを備える。
【００５０】
フィルタ群は、最も下の位置（空気の流れの最も上流）に、油分を付着させて除去する脱油フィルタ１３を備える。その上（下流側）に、臭いを取るための脱臭フィルタ１７、さらにその上に、煙を取るための脱煙フィルタ１８を備える。これにより、空気清浄機能付き照明器具１０は、下から吸入した油煙など含む空気を清浄化し、排気口１２から清浄化された空気を排出することができる。
【００５１】
＜第一実施例の変形例＞
図８は、本実施例の変形例を示す。図８（Ａ）は、空気清浄機能付き照明器具１０の下から見た斜視図であり、ローゼットカバー３０Ａから下方に延びた吊下部材２２により吊り下げられ、脱油フィルタ１３を備える空気清浄機能付き照明器具１０を示す。図８（Ｂ）は、ローゼットカバー３０Ａの拡大図であり、上記照明側開口カバー３４とは異なる吊下部材貫通孔３４１Ａと、さらに電線用孔３４３Ａを備える照明側開口カバー３４Ａを示す。
【００５２】
電線用孔３４３Ａは、引掛ローゼットキャップＲＣから空気清浄機能付き照明器具１０へ電力を供給する電線を通すための孔である。吊下部材貫通孔３４１Ａは、電線用孔３４３Ａと連続した孔を形成しており、その連続した部分以外の部分は、上記吊下部材貫通孔３４１と同じである。
【００５３】
なお、本発明は、例示した実施例に限定するものではなく、特許請求の範囲の各項に記載された内容から逸脱しない範囲の構成による実施が可能である。即ち、本発明は、主に特定の実施形態に関して特に図示され、かつ説明されているが、本発明の技術的思想および目的の範囲から逸脱することなく、以上述べた実施形態に関し、形状、材質、数量、その他の詳細な構成において、当業者が様々な変形を加えることができるものである。従って、上記に開示した形状などを限定した記載は、本発明の理解を容易にするために例示的に記載したものであり、本発明を限定するものではないから、それらの形状等の限定の一部もしくは全部の限定を外した部材の名称での記載は、本発明に含まれるものである。
【００５４】
例えば、ローゼットカバーは、プラスティック、金属など如何なる材料から作製されてもよい。また、空気清浄機能付き照明器具用取付具における挟持部材や吊下部材は、金属などの剛性を有する材料が好ましいが、これに限定されるものではない。
【符号の説明】
【００５５】
１０    空気清浄機能付き照明器具
１１    傘
１２    排気口
１３    脱油フィルタ
１４    送風機
１５    電動機
１６    光源収納部
１７    脱臭フィルタ
１８    脱煙フィルタ
１９    連結部材
２０    空気清浄機能付き照明器具用取付具
２１    挟持部材
２１１  吊下げ用突出片
２１２  半球面部
２２    吊下部材
２３    継手部材
２３１  半球体
２４    固定部材
３０    ローゼットカバー
３０１  ローゼットカバー半体Ａ
３０２  ローゼットカバー半体Ｂ
３０３  半体結合部
３１    天井側開口部
３２    係合爪
３３    照明側開口部
３４    照明側開口カバー
３４１  吊下部材貫通孔
３４２  周縁部
３４３  電線用孔
３５    結合片
３６    被結合片
Ｃ      天井面
ＲＢ    引掛ローゼット本体
ＲＣ    引掛ローゼットキャップ
ＲＣ１  被吊下げ用突出部
【図１】
2014022104.tif 000003
【図２】
2014022104.tif 000004
【図３】
2014022104.tif 000005
【図４】
2014022104.tif 000006
【図５】
2014022104.tif 000007
【図６】
2014022104.tif 000008
【図７】
2014022104.tif 000009
【図８】
2014022104.tif 000010